(57)【要約】      （修正有）【課題】針の基端部分に把手部を形成して握りやすくし、その把手部に発光体を収納可能とし、夜間でもその存在を確認できる魚締め具を提供する。【解決手段】把手部１と、把手部の一方端に着脱可能に固定した針２とで魚締め具を構成し、把手部は、断面形状が正多角形である角柱部材で形成し、その軸方向に発光体が収納可能な長尺の空洞部３を設け、その周面に空洞部と連通する窓５を設ける。把手部の断面形状を正六角形とする。また、把手部は、把手本体１ａとこれに連結する針保持部材１ｂとで構成し、把手本体の軸方向に空洞部を設け、その空洞部と連通して、把手本体の周面に複数の窓を設けてもよい。窓は長手方向のスリット状、又は、所定形状の透孔を列設したものとする。又、針保持部材の軸方向に針の挿通部を設け、この挿通部に挿通する針を着脱可能に固定保持する。【選択図】図１
0003191586.tif 000002
【実用新案登録請求の範囲】
【請求項１】
把手部と、その把手部の一方端に着脱可能に固定した針とで構成し、当該把手部は、その断面形状が正多角形である角柱部材で形成され、その軸方向に長尺の空洞部を有すると共に、その周面に前記空洞部と連通する窓を有することを特徴とする魚締め具。
【請求項２】
把手部の断面形状が正六角形である請求項１記載の魚締め具。
【請求項３】
把手部が、把手本体とこれに連結する針保持部材とで構成され、当該把手本体の中心軸方向に長尺の空洞部を設けると共に、その空洞部と連通して、把手本体の周面に複数の窓を設けた請求項１または請求項２記載の魚締め具。
【請求項４】
窓が、長手方向のスリット状である請求項１から請求項３のいずれか１項記載の魚締め具。
【請求項５】
窓が、所定形状の透孔を列設したものである請求項１から請求項３のいずれか１項記載の魚締め具。
【請求項６】
窓が、把手本体の中心軸から周面方向に互いに直角に開口して４個所設けた請求項３から請求項４のいずれか１項記載の魚締め具。
【請求項７】
針保持部材の中心軸方向に針の挿通部を設けると共に、この挿通部に挿通した針を着脱可能に固定保持するようにした請求項３から請求項６のいずれか１項記載の魚締め具。
【考案の詳細な説明】
【技術分野】
【０００１】
この考案は、活魚の背骨に沿って針を刺し通すことで神経を破壊し、これによって活魚の鮮度を一定期間保持するようにした魚締め具に関する。
【背景技術】
【０００２】
従来、釣り上げた活魚は、締め（即殺）という作業を施すことにより鮮度を保つことができると共に、身が締まって美味であることが知られている。この締めの作業として、魚の脊髄の付け根部を切断することにより、心臓に近い部位の動脈と一部の静脈を切断すると共に、さらに、背骨内に通っている神経や延髄、脳等からなる中枢神経を瞬時に破壊することが行われている。
【０００３】
このように、魚の中枢神経を破壊することで魚の鮮度を維持できる理由については、例えば特許文献１に詳細に説明されている。即ち、魚を締めて毛細血管内を空にすることで、筋肉収縮運動のエネルギー物質であるアデノシン３燐酸の消費を大幅に抑制することができ、魚が生きている状態とほとんど変わらない鮮度を維持できるのである。
【０００４】
このような締めの作業に関しては、従来、さまざまな装置や器具が開発されているが、個人の釣り師などが行う比較的簡単な締めの手段として、先端を尖らせたピアノ線や針金等の線材を魚の目と目の間の中心から脊髄を尾の方まで貫き通すことが行われている。
【０００５】
そして、その具体的な魚の神経締め具として、例えば特許文献２に開示されたような締め具が提案されている。この締め具は、活魚の頭部から尾までの脊髄を貫き通す弾性力を有する線材と、この線材の表面に形成された滑り止め部を備えたもので、基端部に線材を環状に折り曲げた取っ手を形成した簡単な構成のものである。
【先行技術文献】
【特許文献】
【０００６】
【特許文献１】特開平７−２６４９６８号公報
【特許文献２】特開２００９−２６１３５１号公報
【考案の概要】
【考案が解決しようとする課題】
【０００７】
しかしながら、この特許文献２に開示された魚の神経締め具は、線径が１．０ｍｍ程度のステンレス線材によって全体が形成されている。そのため、環状の取っ手が形成されているものの、細くて指掛かりが無く、手に握ったときにこれを確実に把持することが困難である。よって、動き回る活魚で表面にぬめりのあるようなものを締める場合、正確に魚の脊髄に沿って線材を貫き通すことが困難であった。
【０００８】
本考案は、かかる実情に鑑みて考案をしたものであって、針の基端部分に適宜な大きさと形状の把手部を形成して握りやすくすると共に、さらに、その把手部に窓を有する空洞部を設けて、例えば蛍光発光体を収納可能として、夜間でも容易にその存在を確認できるようにしている。
【課題を解決するための手段】
【０００９】
上記課題を解決するため、本考案に係る魚締め具は、把手部と、その把手部の一方端に着脱可能に固定した針とで構成し、当該把手部は、その断面形状が正多角形である角柱部材で形成され、その軸方向に長尺の空洞部を有すると共に、その周面に前記空洞部と連通する窓を有するという手段を採用した。
【００１０】
そして、具体的には、把手部の断面形状を正六角形とするという手段を採用した。
【００１１】
このように、断面正多角形の把手部を設けたので、握りやすく、締めの作業が容易となる。また、接地面積が大きいので、転がりにくい。
【００１２】
また、上記把手部は、把手本体とこれに連結する針保持部材とで構成し、当該把手本体の中心軸方向に長尺の空洞部を設けると共に、その空洞部と連通して、把手本体の周面に複数の窓を設けるという手段を採用した。
【００１３】
この場合。窓が長手方向のスリット状であるという手段、または、窓が所定形状の透孔を列設したものであるという手段を採用した。
【００１４】
そして、窓が把手本体の中心軸から周面方向に互いに直角に開口して４個所設けるという手段を採用した。
【００１５】
このように、把手本体の空洞部を設け、これと連通して所定形状の窓を設けているので、例えば空洞部に発光体を収納することで、窓から光を確認でき、この魚締め具の位置を確実に把握できる。また、把手本体の周面に窓があるので、握った手のひらに対する摩擦係数が増し、持ちやすく滑りにくい。
【００１６】
また、針保持部材の中心軸方向に針の挿通部を設けると共に、この挿通部に挿通した針を着脱可能に固定保持するという手段を採用した。
【００１７】
針を着脱可能としたので、対象となる魚の大きさや種類に応じて、針の長さを適宜選択することが可能である。
【考案の効果】
【００１８】
上記構成に係る本考案の魚締め具は、針の一方端に把手部を設けたので、この把手部を握ることで安定して保持することができる。そのため、魚の神経締めの作業を容易、且つ、確実に行うことができるようになるという優れた効果が期待できる。この場合、把手部の断面形状を正多角形、好ましくは正六角形としているので、転がることがなく、散逸するおそれがない。
【００１９】
また、把手部に空洞部と窓を設けたことにより、該空洞部に適宜な発光体を収納することができ、夜釣りなどにおいても、窓から漏出する光でこの魚締め具を置いた位置を確実に把握できるようになり、利便性が向上した。また、窓により摩擦係数が増すので、この点でも滑りにくく、確実に保持できる。
【図面の簡単な説明】
【００２０】
【図１】（Ａ）は本考案に係る魚締め具の全体斜視図、（Ｂ）はその把手部の拡大斜視図である。
【図２】把手部の分解説明図で、（Ａ）は、把手本体と針保持部材の側面図、（Ｂ）は、その中央縦断面図、（Ｃ）は把手本体のＡ−Ａ線断面図である。
【図３】（Ａ）は針を固定した態様を示す針保持部の中央縦断面図、（Ｂ）はインナーボルトの例を示す斜視図、（Ｃ）は他のインナーボルトの例を示す斜視図である。
【図４】鞘に収納した状態の斜視図である。
【考案を実施するための形態】
【００２１】
以下、本考案に係る魚締め具の好ましい実施形態を、添付した図面に従って説明する。この魚締め具は、手で握りやすい形状の把手部１と、その把手部１の一方端に着脱可能に取り付けた長尺で先端が鋭利な針２とから構成される。
【００２２】
把手部１は、基本形状として断面形状が正六角形の角柱部材で構成されるが、具体的には、例えば図２に示すように、把手本体１ａと、その一方端に連結する針保持部材１ｂで構成する。この把手本体１ａは、中心軸方向に長尺の空洞部３を有すると共に、一方端に空洞部３と連通して前記針保持部材１ｂを連結するための取付凹部４を有している。また、把手本体１ａの側周面には、上記空洞部３と連通するスリット状の窓５を複数設けている。この窓５は、図示した実施形態では、正六角形の対向する平面同士、及び角部同士の４箇所に互いに直角方向に開口するように設けている（図２（Ｃ）参照。）。また、取付凹部４の内周面には、下述する針保持部材１ｂが螺合可能な雌ネジ４ａを刻設している。
【００２３】
一方、針保持部材１ｂは、基本的に円柱形状の部材で構成し、その一方端の中心軸方向に前記針２を挿通して保持固定する挿通部６を設けると共に、他方端は上記把手本体１ａの取付凹部４に係合する取付部７を設ける。そして、この取付部７には上記雌ネジ４ａに螺合する雄ネジ７ａを刻設している。
【００２４】
上記部材構成からなる本考案の魚締め具は、例えば図３に示すように、先ず、先端が鋭利な長尺の針２を針保持部材１ｂの取付部７側から挿通部６に挿通し、針２の後端をＬ字状に折曲するなどして抜け出ないようにすると共に、適宜な手段で針２を固定保持する。この固定手段としては、同図（Ａ）、（Ｂ）に示したように、前面に嵌入溝８ａを設けたインナーボルト８を取付部７の内側に螺合するようにする。この場合、針２のＬ字状の折曲部分が上記嵌入溝８ａに嵌入した状態でインナーボルト８が締め込まれるので、針２は回転することなく、針保持部材１ｂに確実に固定保持される。なお、針２の固定手段は、これに限定するものではなく、例えば同図（Ｃ）に示すように、インナーボルト８の前面に適宜な弾性材９を介在させて、インナーボルト８を締め込んだときの弾性力で針２のＬ字状の折曲部分を押圧して固定保持するようにしてもよい。このように、針２は針保持部材１ｂに着脱可能に固定されるものであり、下述するように、魚の大きさや種類によって長さの異なるものに取り換えることができる。続いて、この針保持部材１ｂを把手本体１ａの取付凹部４に螺合、連結すれば魚締め具の組み立てが完成する。
【００２５】  この場合、上記把手本体１ａの空洞部３には、組み立ての前に予め、例えば既存の化学的蛍光発光体（公序良俗違反につき、不掲載）や、蓄光顔料を練り込んだ発光体０などの適宜な発光体（図示せず。）を収納することができる。この発光体は、本来は夜釣りなどにおいて、浮子の位置確認のために利用されるものであるが、これ応用する。このように発光体を収納しておけば、夜釣りなどにおいて、各窓５から発光体の光が漏れるので、この魚締め具の置き場所が容易に確認できて便利である。なお、発光体としてはこれに限定するものではなく、棒状のものであれば、例えば発光ダイオード（ＬＥＤ）を利用した発光体なども使用することができる。また、この空洞部３は、浮子に使用する発光体のスペアの収納場所として利用することもできる。
【００２６】
上記構成の魚締め具は、全体をステンレスなどの錆びない素材で形成することが取り扱いや衛生面から好ましいが、その素材を特に限定するものではない。なお、把手本体は、成形のし易さからは、アルミ素材を選択することもある。また、針については、魚の脊髄を突き通すことから、適度な硬度と弾性力を有することが好ましく、ステンレスなどが選択される。
【００２７】
また、その大きさも特に限定するものではなく、把手部１については、手で握りやすい長さと直径が適宜選択される。また針２については、線径は１．０〜２．０ｍｍ程度であるが、その長さは、対象となる魚の大きさや種類に応じて、適宜選択することが可能である。
【００２８】
なお、上記実施形態においては、把手部１の基本形状を断面正六角形としているが、必ずしもこれに限定されるものではなく、正五角形や正七角形であってもよい。これは、握りやすさと共に、この魚締め具を地面に置いたときに容易に転がらないようにするためであり、接地面積をある程度確保するためである。即ち、周囲の面数が多くなると断面形状が円形に近くなるため、接地面積が狭くなって容易に転がって散逸するおそれがあるからである。その点では、経験上、断面六角形状が最も好ましい。
【００２９】
また、把手本体１ａの側周面に設ける窓５について、上記実施形態では、互いに直角方向に開口して４個所設けているが、例えば、断面が六角形の場合、各面または角部の６箇所に設けることや、一つ置きに３箇所に設けることもできる。即ち、空洞部３に収納した発光体の光が漏出して確認できるものであればよい。従って、窓の形状も、上述した長尺のスリット状の他、多数の透孔を列設したり、周面に斜め方向や螺旋状に設けるなど、その形状を特に限定するものではない。なお、この窓があることで、把手部を握ったときの摩擦係数が増し、滑りにくいという効果も期待できる。
【００３０】
また、針保持部材１ｂを把手本体１ａに取り付ける手段として、上記実施形態ではネジの螺合により連結するようにしているが、両者を確実に結合できるものであれば、嵌着やピンと係止溝による結合など、他の公知の結合手段を採用することもある。
【００３１】
なお、この魚締め具は、針の先端が鋭利であり、危険であるため、例えば図４に示すように、適宜な鞘１０に収納して針先を保護する。この鞘１０は、上記針保持部材１ｂに対して、螺合や適宜な嵌着手段によって容易に外れないように取り付ける。これにより、魚締め具を安全に携行できると共に、針の折れ曲がり等を防止することができる。
【００３２】
上述したように、本考案に係る魚締め具は、針の基端部分に適宜な大きさと形状の把手部を形成しているので、握りやすく、魚の締め作業を簡便、且つ、確実に行うことができるという優れた特性を有するものである。また、把手部の断面形状が正六角形であるので、転がりにくく、散逸することがない。さらに、その把手部に窓を有する空洞部を設け、例えば蛍光発光体を収納可能としているので、夜間でも容易にその存在を確認できるという利便性に富むものである。また、窓により、握ったときに滑りにくい。
【符号の説明】
【００３３】
１    把手部
１ａ  把手本体
１ｂ  針保持部材
２    針
３    空洞部
４    取付凹部
４ａ  雌ネジ
５    窓
６    挿通部
７    取付部
７ａ  雄ネジ
８    インナーボルト
８ａ  嵌入溝
９    弾性材
１０    鞘
【図１】
0003191586.tif 000003
【図２】
0003191586.tif 000004
【図３】
0003191586.tif 000005
【図４】
0003191586.tif 000006
【手続補正書】
【提出日】平成26年4月23日(2014.4.23)
【手続補正１】
【補正対象書類名】明細書
【補正対象項目名】００２５
【補正方法】変更
【補正の内容】
【００２５】
この場合、上記把手本体１ａの空洞部３には、組み立ての前に予め、例えば既存の化学的蛍光発光体や、蓄光顔料を練り込んだ発光体などの適宜な発光体（図示せず。）を収納することができる。この発光体は、本来は夜釣りなどにおいて、浮子の位置確認のために利用されるものであるが、これ応用する。このように発光体を収納しておけば、夜釣りなどにおいて、各窓５から発光体の光が漏れるので、この魚締め具の置き場所が容易に確認できて便利である。なお、発光体としてはこれに限定するものではなく、棒状のものであれば、例えば発光ダイオード（ＬＥＤ）を利用した発光体なども使用することができる。また、この空洞部３は、浮子に使用する発光体のスペアの収納場所として利用することもできる。